(57)【要約】【課題】スパウト付きパウチのバリア性を保持しつつ開封性を高めることが可能な、スパウト、スパウト付きパウチ、およびスパウトの製造方法を提供する。【解決手段】スパウト３０は、中空の筒形状を有する筒部３１と、筒部３１の下方に設けられ、パウチ１０に溶着される溶着部４０と、を備えている。筒部３１および溶着部４０に、パウチ１０の内部と連通する貫通孔３５が形成されている。貫通孔３５の内部に封止部材６０が設けられている。【選択図】図３
2019172356.tif 000002
【特許請求の範囲】
【請求項１】
中空の筒形状を有する筒部と、
前記筒部の下方に設けられ、パウチに溶着される溶着部と、を備え、
前記筒部および前記溶着部に、前記パウチの内部と連通する貫通孔が形成され、
前記貫通孔の内部に封止部材が設けられている、スパウト。
【請求項２】
前記筒部と前記溶着部と前記封止部材とが一体成形されている、請求項１記載のスパウト。
【請求項３】
前記封止部材は、前記溶着部の底面と同一平面上あるいは前記底面よりも上方に位置する、請求項１又は２記載のスパウト。
【請求項４】
前記封止部材の端面は、前記溶着部によって覆われている、請求項１乃至３のいずれか一項記載のスパウト。
【請求項５】
前記封止部材はバリア性を有している、請求項１乃至４のいずれか一項記載のスパウト。
【請求項６】
内容物を収容するパウチと、
前記パウチに取り付けられたスパウトと、を備え、
前記スパウトは、中空の筒形状を有する筒部と、前記筒部の下方に設けられ、前記パウチに溶着される溶着部と、を有し、
前記筒部および前記溶着部に、前記パウチの内部と連通する貫通孔が形成され、
前記貫通孔の内部に封止部材が設けられている、スパウト付きパウチ。
【請求項７】
中空の筒形状を有する筒部と、前記筒部の下方に設けられ、パウチに溶着される溶着部とを有するスパウトを製造する、スパウトの製造方法であって、
封止部材を準備する工程と、
前記封止部材を、前記スパウトに対応する形状を有する射出成形金型にインサートする工程と、
前記射出成形金型内に射出樹脂を射出することにより、前記スパウトを作製する工程と、を備え、
前記スパウトを作製する工程において、前記筒部および前記溶着部に、前記パウチの内部と連通する貫通孔が形成され、前記封止部材は、前記貫通孔の内部に設けられる、スパウトの製造方法。
【請求項８】
前記射出成形金型は、互いに接離可能な底型と上型と第１スライド型と第２スライド型とを有し、前記封止部材を射出成形金型にインサートする工程において、前記封止部材は、前記上型に配置される、請求項７記載のスパウトの製造方法。
【請求項９】
前記封止部材を準備する工程は、封止部材用シートを準備する工程と、前記封止部材用シートを打ち抜くとともに絞る工程とを含む、請求項７又は８記載のスパウトの製造方法。
【発明の詳細な説明】
【技術分野】
【０００１】
本開示は、スパウト、スパウト付きパウチ、およびスパウトの製造方法に関する。
【背景技術】
【０００２】
自立性袋、ガゼット型袋等の種々の形態からなる、プラスチック製の軟包装材から構成された袋容器（以下、パウチとも称する）が知られている。パウチは、例えば、ジュース類、果汁類、ゼリー状飲料、栄養ドリンク剤等の飲料品や、調味料、その他種々の飲食品などの、流動性を有する内容物を収容するために利用されている。
【０００３】
特に近年、これらのパウチにおいては、その開封を容易にし、かつ内容物の飲料を容易に、あるいは、内容物を注ぎやすくするために、パウチの上部にスパウトを取り付けてなるスパウト付きパウチが提案されている。スパウトは、パウチの内部に連通する貫通孔が形成された筒部と、筒部下方の溶着部を有している。
【０００４】
また特許文献１は、谷折りされた封止部の間に注出部を保持させてガスバリア性を高めるように構成された、口栓（スパウト）付きパウチを開示している。
【先行技術文献】
【特許文献】
【０００５】
【特許文献１】特開２０１２−８１９９８号公報
【発明の概要】
【発明が解決しようとする課題】
【０００６】
しかしながら、特許文献１の口栓付きパウチにおいては、スパウトの開口部に対して封止部が大きいため、封止部のロスが大きい。また、口栓付きパウチの製造工程やパウチの開封作業が複雑になるおそれがある。
【０００７】
本開示はこのような点を考慮してなされたものであり、スパウト付きパウチのバリア性を保持しつつ開封性を高めることが可能な、スパウト、スパウト付きパウチ、およびスパウトの製造方法を提供する。
【課題を解決するための手段】
【０００８】
一実施の形態によるスパウトは、中空の筒形状を有する筒部と、前記筒部の下方に設けられ、パウチに溶着される溶着部と、を備え、前記筒部および前記溶着部に、前記パウチの内部と連通する貫通孔が形成され、前記貫通孔の内部に封止部材が設けられている。
【０００９】
一実施の形態によるスパウトにおいて、前記筒部と前記溶着部と前記封止部材とが一体成形されていても良い。
【００１０】
一実施の形態によるスパウトにおいて、前記封止部材は、前記溶着部の底面と同一平面上あるいは前記底面よりも上方に位置しても良い。
【００１１】
一実施の形態によるスパウトにおいて、前記封止部材の端面は、前記溶着部によって覆われていても良い。
【００１２】
一実施の形態によるスパウトにおいて、前記封止部材はバリア性を有していても良い。
【００１３】
一実施の形態によるスパウト付きパウチは、内容物を収容するパウチと、前記パウチに取り付けられたスパウトと、を備え、前記スパウトは、中空の筒形状を有する筒部と、前記筒部の下方に設けられ、前記パウチに溶着される溶着部と、を有し、前記筒部および前記溶着部に、前記パウチの内部と連通する貫通孔が形成され、前記貫通孔の内部に封止部材が設けられている。
【００１４】
一実施の形態によるスパウトの製造方法は、中空の筒形状を有する筒部と、前記筒部の下方に設けられ、パウチに溶着される溶着部とを有するスパウトを製造する、スパウトの製造方法であって、封止部材を準備する工程と、前記封止部材を、前記スパウトに対応する形状を有する射出成形金型にインサートする工程と、前記射出成形金型内に射出樹脂を射出することにより、前記スパウトを作製する工程と、を備え、前記スパウトを作製する工程において、前記筒部および前記溶着部に、前記パウチの内部と連通する貫通孔が形成され、前記封止部材は、前記貫通孔の内部に設けられる。
【００１５】
一実施の形態によるスパウトの製造方法において、前記射出成形金型は、互いに接離可能な底型と上型と第１スライド型と第２スライド型とを有し、前記封止部材を射出成形金型にインサートする工程において、前記封止部材は、前記上型に配置されても良い。
【００１６】
一実施の形態によるスパウトの製造方法において、前記封止部材を準備する工程は、封止部材用シートを準備する工程と、前記封止部材用シートを打ち抜くとともに絞る工程とを含んでも良い。
【発明の効果】
【００１７】
本開示によれば、スパウト付きパウチのバリア性を保持しつつ開封性を高めることができる。
【図面の簡単な説明】
【００１８】
【図１】図１は、一実施の形態によるスパウト付きパウチを示す正面図。
【図２】図２は、一実施の形態によるスパウトを示す平面図。
【図３】図３は、一実施の形態によるスパウトを示す正面図。
【図４】図４は、一実施の形態によるスパウトを示す断面図（図２のIV−IV線断面図）。
【図５】図５は、一実施の形態によるスパウトを示す断面図（図２のＶ−Ｖ線断面図）。
【図６】図６は、封止部材の周縁部を示す拡大断面図（図５のVI部拡大図）。
【図７】図７は、スパウトに取り付けられるキャップを示す断面図。
【図８】図８（ａ）−（ｄ）は、一実施の形態によるスパウトの製造方法を示す断面図。
【図９】図９（ａ）−（ｄ）は、スパウト付きパウチの使用時の作用を示す断面図。
【発明を実施するための形態】
【００１９】
以下、図１乃至図９を参照して、一実施の形態について説明する。まず図１を参照して、スパウト付きパウチ１０Ａの全体について説明する。図１は、本実施の形態によるスパウト付きパウチ１０Ａを示す正面図である。
【００２０】
＜スパウト付きパウチ＞
図１に示すように、スパウト付きパウチ１０Ａは、第１フィルム２１によって形成された第１面１１と第２フィルム２２によって形成された第２面１２とを含むパウチ１０と、パウチ１０の上部の中央部に取り付けられたスパウト３０とを備えている。このうちスパウト３０には、キャップ５０が取り付けられている。以下、パウチ１０、スパウト３０およびキャップ５０についてそれぞれ説明する。
【００２１】
（パウチ）
パウチ１０は、流動性を有する内容物を収容するための充填部１３を含む。流動性を有する限りにおいて、充填部１３に充填される内容物が特に限られることはない。例えば、充填部１３に充填されている内容物として、ジュース類、果汁類、ゼリー状飲料、栄養ドリンク剤等の飲料品や、液体状または粉末状の調味料、その他種々の飲食品等を挙げることができる。
【００２２】
パウチ１０は例えば、第１面１１と第２面１２とが対向するように第１フィルム２１および第２フィルム２２を互いに熱溶着などによって接合することによって構成されている。第１フィルム２１とは、パウチ１０の表面（図１に示されている側の面）を構成するフィルムのことであり、第２フィルム２２とは、パウチ１０の裏面（表面の裏側にある面）を構成するフィルムのことである。図１において、第１フィルム２１および第２フィルム２２のうち熱溶着によって形成されたシール部が符号１４（網掛け）で示されている。また、シール部１４によって囲われた、内容物が収容される充填部が符号１３で示されている。なおパウチ１０の製造工程において、第１フィルム２１および第２フィルム２２は、互いに分離された別個のフィルムとして準備されてもよく、若しくは、一連のフィルムとして準備されてもよい。
【００２３】
内容物や気体を適切に密封することができる限りにおいて、パウチ１０のタイプが特に限られることはない。例えばパウチ１０は、第１フィルム２１と第２フィルム２２との間にマチが設けられる、いわゆるガセット式のパウチとして構成されていてもよい。そのようなマチは、パウチ１０の底部に設けられていてもよく、若しくはパウチ１０の側部に設けられていてもよい。
【００２４】
図１に示すように、各フィルムを熱溶着することによって構成されるシール部１４は、パウチ１０の底部を構成する底部シール部１６と、パウチ１０の一方の側部に沿って上下方向に延びる第１側部シール部１７と、パウチ１０の他方の側部に沿って上下方向に延びる第２側部シール部１８と、パウチ１０の上部を構成する上部シール部１５と、を含んでいる。これら上部シール部１５、底部シール部１６、第１側部シール部１７および第２側部シール部１８は、第１フィルム２１および第２フィルム２２を互いに熱溶着することによって構成されたシール部である。なお上部シール部１５は、第１フィルム２１とスパウト３０とを熱溶着することによって構成された部分、および、第２フィルム２２とスパウト３０とを熱溶着することによって構成された部分をさらに含んでいる。
【００２５】
次に、第１フィルム２１および第２フィルム２２の層構成について説明する。第１フィルム２１および第２フィルム２２は、少なくとも基材層とシーラント層とが積層された積層フィルムから構成されても良い。このうち基材層を構成する材料としては、ポリエチレンテレフタレート、ナイロン、ポリプロピレン等を用いることができる。また、シーラント層を構成する材料としては、ポリエチレンやポリプロピレン等を用いることができる。積層フィルムは、さらに印刷層、支持体、バリア層などが設けられていてもよい。支持体としては、基材層と同様のプラスチックや紙等を用いることができる。バリア層としては、アルミニウム箔などの金属箔や、アルミニウムなどの無機物や酸化珪素や酸化アルミニウムなどの無機酸化物等を用いることができる。
【００２６】
具体的には、第１フィルム２１および第２フィルム２２に用いる積層シートの構成例として、以下のような構成が挙げられる。なお、以下において、パウチ１０の外側の層から内側の層に向けて順番に記載している。また、「／」は互いに隣接する層同士の境界を意味する。
【００２７】
・ポリエチレンテレフタレート層（ＰＥＴ）／延伸ナイロン層（ＯＮＹ）／アルミニウム層（ＡＬＭ）／未延伸ポリプロピレン層（ＣＰＰ）
・ポリエチレンテレフタレート層（ＰＥＴ）／アルミニウム層（ＡＬＭ）／延伸ナイロン層（ＯＮＹ）／未延伸ポリプロピレン層（ＣＰＰ）
・ポリエチレンテレフタレート層（ＰＥＴ）／延伸ナイロン層（ＯＮＹ）／透明蒸着ポリエチレンテレフタレート層（ＰＥＴ）／未延伸ポリプロピレン層（ＣＰＰ）
・ポリエチレンテレフタレート層（ＰＥＴ）／延伸ナイロン層（ＯＮＹ）／アルミニウム層（ＡＬＭ）／未延伸ポリエチレンフィルム層（ＰＥＦ）
・透明蒸着ポリエチレンテレフタレート層（ＰＥＴ）／延伸ナイロン層（ＯＮＹ）／未延伸ポリプロピレン層（ＣＰＰ）
・ポリエチレンテレフタレート層（ＰＥＴ）／延伸ナイロン層（ＯＮＹ）／透明蒸着ポリエチレンテレフタレート層（ＰＥＴ）／未延伸ポリエチレンフィルム層（ＰＥＦ）
・ポリエチレンテレフタレート層（ＰＥＴ）／アルミニウム層（ＡＬＭ）／未延伸ポリプロピレン層（ＣＰＰ）
上記において、各層間には接着層が設けられていても良い。
【００２８】
（スパウト）
次にスパウト３０について、図２乃至図６を参照して説明する。図２乃至図６はそれぞれ、パウチ１０に取り付けられておらず、かつキャップ５０が取り付けられていない状態のスパウト３０を示す図である。なお「上下方向」および「水平方向」という表現は、スパウト付きパウチ１０Ａを水平面上に直立させた場合を基準とした表現である。
【００２９】
スパウト３０は、中空の円筒形状を有する筒部３１と、筒部３１の外周面に設けられたフランジ部３３と、筒部３１の下方に設けられ、パウチ１０の上部シール部１５に溶着される溶着部４０とを備えている。これら筒部３１、フランジ部３３および溶着部４０は、例えばポリプロピレン（ＰＰ）やポリエチレン（ＰＥ）等の合成樹脂により一体に成形されている。
【００３０】
図２乃至図５に示すように、筒部３１および溶着部４０には平面視円形状の貫通孔３５が形成されており、貫通孔３５は、スパウト３０の軸線方向に沿って延びている。貫通孔３５は、パウチ１０の内部と連通している。この貫通孔３５を介して、パウチ１０に収容された内容物が外部に注出される。
【００３１】
筒部３１の外周面のうちフランジ部３３よりも上方に位置する部分には、キャップ５０の内周面に設けられた傾斜ガイド５９（後述）と係合する傾斜ガイド３８が設けられている。また、フランジ部３３は、筒部３１の下部に設けられている。このフランジ部３３は、筒部３１の外面から側方に延びている。本実施の形態において、スパウト３０のフランジ部３３は、下側（パウチ１０側）に位置する第１フランジ部３３Ａと、第１フランジ部３３Ａよりも上側（キャップ５０側）に位置する第２フランジ部３３Ｂと、を含んでいる。第１フランジ部３３Ａおよび第２フランジ部３３Ｂは、それぞれ平面視略八角形形状を有している。なお図示はしないが、筒部３１の外周面に設けられるフランジ部の数が特に限られることはない。例えば、フランジ部の数は１であってもよく、３以上であってもよい。
【００３２】
上述のように、円筒形状の筒部３１の下方には溶着部４０が設けられている。この溶着部４０はパウチ１０の第１フィルム２１および第２フィルム２２に上部シール部１５において溶着される部分である。溶着部４０は互いに対向する一対の溶着面４２と、溶着面４２の先端に形成された先端部４１とを含む（図３参照）。そして、溶着部４０はその溶着面４２および先端部４１において第１フィルム２１および第２フィルム２２と溶着される。
【００３３】
本実施の形態において、貫通孔３５の内部には、封止部材６０が設けられている。このような封止部材６０は、筒部３１、フランジ部３３および溶着部４０の材料とは異なる材料から形成されるとともに、射出成形により筒部３１、フランジ部３３および溶着部４０と一体に成形されている。封止部材６０は、平面視で貫通孔３５の全体を塞いでいる。この封止部材６０は、平面視で略円形形状を有しており（図２参照）、断面視で略コ字形状を有している（図４および図５参照）。また封止部材６０は、溶着部４０の底面４０ａよりも上方に位置している。あるいは、封止部材６０は、溶着部４０の底面４０ａと同一平面上に位置していても良い。封止部材６０の、溶着部４０の底面４０ａからの高さ方向距離Ｈは、例えば０ｍｍ以上１０ｍｍ以下としても良い。このように封止部材６０は、貫通孔３５の内部に位置しているので、溶着部４０の溶着面４２や先端部４１を覆わない。このため、封止部材６０によって溶着部４０とパウチ１０との溶着強度が低下するおそれが生じない。
【００３４】
上述したように、封止部材６０は、スパウト３０の筒部３１、フランジ部３３および溶着部４０と一体に成形されている。図６に示すように、封止部材６０は、溶着部４０の底面４０ａに略平行に延びる水平部６１と、水平部６１の周縁から上方に延びる垂直部６２とを有している。水平部６１は平面視略円形であり、垂直部６２は円筒状に形成されている。また封止部材６０の端面６０ａ（垂直部６２の上端）は、溶着部４０によって覆われ、周方向全体にわたって溶着部４０に埋め込まれている。また封止部材６０の端面６０ａは、溶着部４０に密着している。さらに垂直部６２の外周面６２ａは、溶着部４０に埋め込まれている。このように、溶着部４０と垂直部６２とが広い範囲で接合されているので、封止部材６０が溶着部４０から剥離しにくくなっている。
【００３５】
封止部材６０は、ガスバリア性等のバリア性を有している。このため、封止部材６０がスパウト３０の貫通孔３５の内部を塞ぐことにより、貫通孔３５を介して外部からガスが侵入することが抑えられ、パウチ１０に収容された内容物を保護することができる。
【００３６】
この封止部材６０は、バリア層とシーラント層との少なくとも２層を含むことが好ましい。このうちシーラント層は、フィルムであっても良く、押出樹脂コーティング層であってもよい。シーラント層を構成する材料としては、ポリエチレンやポリプロピレン等を用いることができる。バリア層としては、アルミニウム層、アルミニウム蒸着ポリエチレンテレフタレート層（ＰＥＴ）、アルミニウム蒸着延伸ナイロン層（ＯＮＹ）、透明蒸着ポリエチレンテレフタレート層（ＰＥＴ）、透明蒸着延伸ナイロン層（ＯＮＹ）など各種バリアフィルムを使用することができる。封止部材６０の厚みは、例えば２０μｍ以上１００μｍ以下の範囲とすることができる。
【００３７】
より具体的には、封止部材６０に用いる積層シートの代表的な構成例として、以下のような構成が挙げられる。なお、以下において、キャップ５０側の層（上層）からパウチ１０側を向く層（下層）に向けて順番に記載している。また、「／」は互いに隣接する層同士の境界を意味する。
【００３８】
・アルミニウム層（ＡＬＭ）／未延伸ポリプロピレン層（ＣＰＰ）
・アルミニウム層（ＡＬＭ）／ポリエチレン層（ＰＥ）        
・未延伸ポリプロピレン層（ＣＰＰ）／アルミニウム層（ＡＬＭ）／未延伸ポリプロピレン層（ＣＰＰ）
・ポリエチレン層（ＰＥ）／アルミニウム層（ＡＬＭ）／ポリエチレン層（ＰＥ）
上記において、各層間には接着層が設けられていても良い。
【００３９】
（キャップ）
次にキャップ５０について、図７を参照して説明する。図７に示すように、キャップ５０は、スパウト３０の筒部３１に対して脱着自在なキャップ本体部５１を含んでいる。キャップ本体部５１の内周面には、上述したスパウト３０の筒部３１の傾斜ガイド３８と係合する傾斜ガイド５９が設けられている。キャップ本体部５１は、平面視略円形の天部５４と、天部５４から下方に延びる略円筒状の胴部５５とを有している。
【００４０】
またキャップ５０は、キャップ本体部５１よりもパウチ１０側かつ径方向外側に位置するスペーサー５２をさらに含む。スペーサー５２は、キャップ５０の不正な開封を防止するためのものであり、いわゆるピルファープルーフバンドとして機能するものである。キャップ本体部５１とスペーサー５２との間には、キャップ本体部５１とスペーサー５２とを結合する薄肉つなぎ５３が設けられる。この薄肉つなぎ５３が破断されているかどうかを確認することにより、キャップ５０の不正な開封が生じていたかどうかを判断することができる。
【００４１】
またキャップ本体部５１の天部５４には、突き刺し部５７が一体形成されている。突き刺し部５７は、天部５４から下方に向けて延びている。この突き刺し部５７は、後述するように、キャップ本体部５１をねじ込むことにより封止部材６０を開封するものである。また、突き刺し部５７は、キャップ５０の中心軸線上に沿って延びており、その先端には封止部材６０を突き破る鋭利な突起５８が形成されている。
【００４２】
次に図８（ａ）−（ｄ）により、スパウト３０の製造方法について述べる。
【００４３】
まず、封止部材６０を準備する。この際、図８（ａ）に示すように、図示しないロールから積層シートからなる封止部材用シート６０Ａを供給し、この封止部材用シート６０Ａを絞り治具８０を用いて一定の寸法形状に打ち抜く。絞り治具８０は、凹状治具８１と、凹状治具８１に対応する形状を有する凸状治具８２とを有している。この凹状治具８１と凸状治具８２とによって、封止部材用シート６０Ａを打ち抜くとともに絞ることにより、断面視コ字形状の封止部材６０が得られる。
【００４４】
次に、図８（ｂ）に示すように、底型７１と上型７２と第１スライド型７３と第２スライド型７４とを有する射出成形金型７０を準備する。底型７１と上型７２と第１スライド型７３と第２スライド型７４とは、互いに接離可能である。この場合、固定された底型７１に対して、上型７２、第１スライド型７３および第２スライド型７４が移動するようになっている。底型７１と上型７２と第１スライド型７３と第２スライド型７４とは、組み付けられた際、スパウト３０に対応する内面形状を有する。なお、射出成形金型７０の底型７１には、図示しない射出装置のノズルから供給された射出樹脂材料が流入するゲート７５が形成されている。
【００４５】
続いて、封止部材６０を上型７２に配置することにより、封止部材６０を射出成形金型７０にインサートする。なお、上型７２には図示しない吸引孔が設けられており、封止部材６０は、上型７２の底面に真空吸着される。
【００４６】
次に、図８（ｃ）に示すように、底型７１と上型７２と第１スライド型７３と第２スライド型７４とを互いに接近させ、底型７１と上型７２と第１スライド型７３と第２スライド型７４とを型閉めする。このとき、射出成形金型７０内に空間が形成される。また、封止部材６０は、底型７１の凸部７１ａと上型７２との間に挟持される。
【００４７】
この状態で、射出成形金型７０内の空間に、底型７１に設けられたゲート７５から射出樹脂材料を射出する。この際、射出樹脂材料が射出成形金型７０内に空間全域に回り込み、筒部３１と、フランジ部３３と、溶着部４０とが一体成形されたスパウト３０が得られる。同時に、上型７２に吸着された封止部材６０が溶着部４０に一体成形され、貫通孔３５の内部に封止部材６０が配置される。
【００４８】
その後、射出成形金型７０の底型７１と上型７２と第１スライド型７３と第２スライド型７４とが互いに分離され、スパウト３０は、射出成形金型７０から外方へ取り出される（図８（ｄ）参照）。
【００４９】
次に、スパウト３０はパウチ１０の上部に位置決めされる。続いて、スパウト３０はその溶着部４０においてパウチ１０の上部シール部１５にヒートシールされ、このようにしてスパウト付きパウチ１０Ａが得られる。
【００５０】
その後スパウト付きパウチ１０Ａ内に内容物が充填され、スパウト３０にキャップ５０が装着される。
【００５１】
次に図９（ａ）−（ｄ）により、スパウト付きパウチ１０Ａの使用方法について述べる。
【００５２】
まず、図９（ａ）に示すように、キャップ５０を回転する前の状態では、キャップ５０のキャップ本体部５１とスペーサー５２とが、薄肉つなぎ５３で結合されている。また、キャップ５０の突き刺し部５７は、スパウト３０の貫通孔３５内に挿入されている。このとき突き刺し部５７は、封止部材６０から離間している。
【００５３】
次に、図９（ｂ）に示すように、消費者はキャップ５０のキャップ本体部５１を平面視で時計回りに回転し、キャップ５０をスパウト３０に対して締め込む。このとき、キャップ５０の傾斜ガイド５９がスパウト３０の傾斜ガイド３８に係合し、キャップ本体部５１がパウチ１０側に押し込まれる。また、スペーサー５２はスパウト３０の第２フランジ部３３Ｂに当接する。このため、一定程度キャップ５０を回転したとき、薄肉つなぎ５３が破断し、キャップ本体部５１からスペーサー５２が分離する。また、キャップ５０の突き刺し部５７に設けられた突起５８が封止部材６０に当接し、封止部材６０を突き破る。
【００５４】
続いて、図９（ｃ）に示すように、キャップ５０をさらに回転することにより、突き刺し部５７によって封止部材６０の開封が進行する。その後、キャップ５０のキャップ本体部５１がスパウト３０の第２フランジ部３３Ｂに当接し、キャップ５０の回転が停止する。このようにして、突き刺し部５７による封止部材６０の開封が完了する。
【００５５】
次いで、図９（ｄ）に示すように、消費者はキャップ５０を平面視で反時計回りに回転し、スパウト３０から取り外す。これにより、スパウト３０の貫通孔３５を介して、パウチ１０の内部と外部とが連通する。その後、消費者は、パウチ１０に収容された内容物を排出し、必要に応じてキャップ５０を再度閉じる。
【００５６】
このように、本実施の形態によれば、スパウト３０の貫通孔３５の内部に封止部材６０が設けられている。これにより、封止部材６０によって筒部３１が覆われ、スパウト付きパウチ１０Ａのバリア性が保持される。とりわけスパウト付きパウチ１０Ａのバリア性に影響が大きい貫通孔３５を確実に封止することができる。また、封止部材６０を例えばキャップ５０の突き刺し部５７用いて突き破ることができるので、スパウト付きパウチ１０Ａを容易に開封することができる。
【００５７】
また、本実施の形態によれば、封止部材６０が貫通孔３５に近似した形状を有しているので、封止部材６０が必要以上に大きくならず、封止部材６０のロスが小さい。また、封止部材６０がスパウト３０の溶着部４０と一体成形されているので、スパウト付きパウチ１０Ａの製造工程が複雑になることもない。
【００５８】
また、本実施の形態によれば、筒部３１と溶着部４０と封止部材６０とが一体成形されているので、スパウト付きパウチ１０Ａを効率良く製造することができる。
【００５９】
また、本実施の形態によれば、封止部材６０は、溶着部４０の底面４０ａと同一平面上あるいは底面４０ａよりも上方に位置するので、キャップ５０の突き刺し部５７の長さを抑えることができる。
【００６０】
さらに、本実施の形態によれば、封止部材６０の端面６０ａは、溶着部４０によって覆われているので、接着剤等が露出して衛生的に問題がある可能性のある封止部材６０の端面６０ａが内容物側に露出することがない。これにより、封止部材６０の端面６０ａからの接着剤等の流出を防ぎ、スパウト付きパウチ１０Ａ内で内容物が汚染等してしまうことを抑えることができる。
【００６１】
なお、上記実施の形態においては、封止部材６０はキャップ５０の突き刺し部５７によって破られる場合を例にとって説明した。しかしながらこれに限らず、封止部材６０はキャップ５０以外の手段（例えば尖った先端をもつ棒状の部材）によって突き破られても良い。
【００６２】
本発明は上記実施の形態および変形例そのままに限定されるものではなく、実施段階ではその要旨を逸脱しない範囲で構成要素を変形して具体化できる。また、上記実施の形態および変形例に開示されている複数の構成要素の適宜な組み合わせにより、種々の発明を形成できる。実施の形態および変形例に示される全構成要素から幾つかの構成要素を削除してもよい。
【符号の説明】
【００６３】
１０        パウチ
１０Ａ      スパウト付きパウチ
３０        スパウト
３１        筒部
３３        フランジ部
３５        貫通孔
３８        傾斜ガイド
４０        溶着部
５０        キャップ
６０        封止部材
７０        射出成形金型
７１        底型
７２        上型
７３        第１スライド型
７４        第２スライド型
【図１】
2019172356.tif 000003
【図２】
2019172356.tif 000004
【図３】
2019172356.tif 000005
【図４】
2019172356.tif 000006
【図５】
2019172356.tif 000007
【図６】
2019172356.tif 000008
【図７】
2019172356.tif 000009
【図８】
2019172356.tif 000010
【図９】
2019172356.tif 000011